(57)【要約】【課題】  座面のクッション表皮にシワが発生しなくなり、クッション表皮が伸びきってしまうという不具合も無くなる椅子式マッサージ機を提供する。【解決手段】  座席部３に対して、起立位置の背もたれ部７を前倒可能な椅子式マッサージ機１において、背もたれ部７の前倒時に、背もたれ面７ａ若しくは背もたれ面７ａから前方に突出した施療手段８ａが、座席部３の座面３ａと接する角度以上に前倒しないように規制する前倒規制ピン２０を設けている。  背もたれ部７の前倒速度を減速する速度調整手段２３を設けている。【選択図】  図１
2006223720.tif 000002
【特許請求の範囲】
【請求項１】
座席部に対して、起立位置の背もたれ部を前倒可能な椅子式マッサージ機において、
前記背もたれ部の前倒時に、背もたれ面若しくは背もたれ面から前方に突出した施療手段が、座席部の座面と接する角度以上に前倒しないように規制する前倒規制手段を設けていることを特徴とする椅子式マッサージ機。
【請求項２】
前記前倒規制手段は、前記座席部側の肘掛け部に設けた前倒規制ピンであることを特徴とする請求項１記載の椅子式マッサージ機。
【請求項３】
前記前倒規制手段は、前記座席部側と背もたれ部とを連結する前倒規制ワイヤーであることを特徴とする請求項１記載の椅子式マッサージ機。
【請求項４】
前記背もたれ部の前倒速度を減速する速度調整手段を設けていることを特徴とする請求項１〜３のいずれか一項に記載の椅子式マッサージ機。
【発明の詳細な説明】
【技術分野】
【０００１】
本発明は、椅子式マッサージ機に関する。
【背景技術】
【０００２】
従来、座席部に対して、起立位置の背もたれ部を前倒可能な椅子式マッサージ機がある（特許文献１参照）。
【０００３】
このように、座席部に対して背もたれ部を前倒させることで、背もたれ部をフラットに折り畳めるので、椅子式マッサージ機をコンパクトに搬送したり、収納したりすることができる。
【特許文献１】実公平５−３７７９７号公報
【発明の開示】
【発明が解決しようとする課題】
【０００４】
しかしながら、背もたれ部を前倒させると、背もたれ部の重量および背もたれ部に内蔵した施療手段（施療子やエアーバック、これらの駆動機構等）の重量が全て座席部の座面に作用することになるから、座面のクッション表皮にシワが発生したり、前倒状態が長期間になると座面のクッション表皮が伸びきってしまうという問題があった。特に、背もたれ面から施療手段が前方に突出している場合には、クッション表皮のシワや伸びがさらに悪化する。
【０００５】
本発明は、前記問題を解消するためになされたもので、座面のクッション表皮にシワが発生しなくなり、クッション表皮が伸びきってしまうという不具合も無くなる椅子式マッサージ機を提供することを目的とするものである。
【課題を解決するための手段】
【０００６】
前記課題を解決するために、本発明の椅子式マッサージ機は、座席部に対して、起立位置の背もたれ部を前倒可能な椅子式マッサージ機において、前記背もたれ部の前倒時に、背もたれ面若しくは背もたれ面から前方に突出した施療手段が、座席部の座面と接する角度以上に前倒しないように規制する前倒規制手段を設けていることを特徴とするものである。
【０００７】
前記前倒規制手段としては、例えば、前記座席部側の肘掛け部に設けた前倒規制ピン、あるいは前記座席部側と背もたれ部とを連結する前倒規制ワイヤーで構成することができる。
【０００８】
前記背もたれ部に内蔵した施療手段の耐久性を向上させるために、前記背もたれ部の前倒速度を減速する速度調整手段を設けることが好ましい。
【発明の効果】
【０００９】
本発明によれば、背もたれ面等が座席部の座面と接する角度以上に前倒しないように、前倒規制手段で背もたれ部の前倒角度を規制するようにしたから、背もたれ部の前倒時に、背もたれ部の重量および背もたれ部に内蔵した施療手段（施療子やエアーバック、これらの駆動機構等）の重量が座席部の座面に作用しなくなるので、座面のクッション表皮にシワが発生しなくなり、クッション表皮が伸びきってしまうという不具合もなくなる。
【発明を実施するための最良の形態】
【００１０】
以下、本発明を実施するための最良の形態について、図面を参照しながら詳細に説明する。
【００１１】
図１および図３に示すように、椅子式マッサージ機１は、椅子本体２の上部に座席部３が取付けられ、椅子本体２の左右両側部に肘掛け部４が取付けられ、椅子本体２の前部にオットマン５がヒンジ軸５ａで取付けられている。このオットマン５は、シリンダー等の駆動機構（不図示）により、図１（ａ）において、実線の下動位置と二点鎖線ａで示した上動位置との間で上下位置を調整できるようになっている。
【００１２】
前記座席部３の後部には背もたれ部７が配置され、この背もたれ部７にはマッサージ機構（施療手段）８が内蔵されて、このマッサージ機構８の一部である施療子８ａが背もたれ部７の背もたれ面７ａから前方に突出している。なお、マッサージ機構８として、施療子８ａに代えて、または施療子８ａとともにエアーバックを設けることもできる。
【００１３】
図１および図２に示すように、前記座席部３と背もたれ部７の左右両側位置に、横向き略Ｔ字状の側板９がそれぞれ配置され、この側板９の下部９ａは、左右方向に延在する同期シャフト１０で一体的に連結されていて、側板９の前部９ｂは、座席部３の左右両側部にリクライニング軸１１で前後回動可能に支持されるとともに、側板９の上部９ｃに、背もたれ部７の左右両側部が前倒軸１２で前後回動可能に支持されている。
【００１４】
前記前倒軸１２よりも下方に位置する背もたれ部７の一側部に、ロックピン１３が固定され、これに対応する側板９の後部には、図１（ａ）の起立位置にある背もたれ部７のロックピン１３が嵌まり込むロック溝１４ａと、嵌り込んだロックピン１３をロックするロックレバー１４ｂとが設けられている。そして、ロックレバー１４ｂの上回動操作でロックピン１３のロックを解除して、背もたれ部７を前方に押すと、背もたれ部７は、前倒軸１２を中心にして図１（ｂ）のように前倒するようになる。
【００１５】
前記側板９の同期シャフト１０にブラケット１６が固定され、前記座席部３の下面にブラケット１７が固定されて、同期シャフト１０のブラケット１６には、シリンダー（伸縮機構）１８の本体１８ａがヒンジ軸１６ａで連結されるとともに、座席部３のブラケット１７には、シリンダー１８のプランジャ１８ｂがヒンジ軸１７ａで連結されている。そして、シリンダー１８の伸縮動で、背もたれ部７は、リクライニング軸１１を中心にして前後傾（リクライニング）されるようになる。
【００１６】
前記肘掛け部４の内面には、図１（ｂ）のように前倒した背もたれ部７の背もたれ面７ａを当て止めて、背もたれ面７ａから前方に突出した施療子（施療手段の一部）８ａが、座席部３の座面３ａと接する角度以上に前倒しないように規制する前倒規制ピン（前倒規制手段）２０を設けている。
【００１７】
前記のように椅子式マッサージ機１を構成すれば、背もたれ部７が図１（ａ）の起立位置にある時に、ロックレバー１４ｂを上回動操作してロックピン１３のロックを解除した状態で、背もたれ部７を前方に押すと、背もたれ部７は、前倒軸１２を中心にして図１（ｂ）のように前倒するようになる。
【００１８】
この前倒の終わり近くで、肘掛け部４の前倒規制ピン２０に背もたれ部７の背もたれ面７ａが当て止められるので、背もたれ面７ａから前方に突出した施療子８ａが、座席部３の座面３ａと接する角度以上に前倒しなくなる。
【００１９】
したがって、背もたれ部７を前倒させた時に、背もたれ部７の重量および背もたれ部７に内蔵したマッサージ機構８の重量が座席部３の座面３ａに作用しなくなるので、座面３ａのクッション表皮にシワが発生しなくなり、クッション表皮が伸びきってしまうという不具合もなくなる。
【００２０】
前記実施形態では、マッサージ機構８の施療子８ａが、座席部３の座面３ａと接する角度以上に前倒しないように規制したが、施療子８ａが背もたれ部７の内部に没入する場合や、施療子８ａが座席部３の座面３ａに接しない位置に下動する場合には、背もたれ部７の背もた面７ａが座席部３の座面３ａと接する角度以上に前倒しなくなるように規制することもできる。
【００２１】
前記実施形態において、前記背もたれ部７の前倒速度を減速する速度調整手段を設けることができる。
【００２２】
すなわち、図４に示すように、前記背もたれ部７に、前記前倒軸１２を中心とする半径の円弧状ラック２２を取付けるとともに、前記側板９に、前記円弧状ラック２２に噛み合うピニオン２３ａを有するロータリーダンパー（速度調整手段）２３を取付けている。このロータリーダンパー２３は、内部に粘性の高いオイルが封入されていて、ピニオン２３ａに回転抵抗を付与するようになる。
【００２３】
したがって、背もたれ部７が図４（ａ）の起立位置から図４（ｂ）のように、前倒軸１２を中心にして図４（ｂ）のように前倒する時に、この前倒に連動して円弧状ラック２２がピニオン２３ａを回転させるが、ピニオン２３ａは、ロータリーダンパー２３で回転抵抗が付与されているから、背もたれ部７の前倒速度が減速されて、背もたれ部７が緩やかに前倒して、座席部３に強く衝突しなくなるので、背もたれ部７に内蔵したマッサージ機構８の耐久性が向上するようになる。
【００２４】
前記実施形態では、肘掛け部４に設けた前倒規制ピン２０で背もたれ部７の前倒を規制したが、図５に示すように、背もたれ部７の下部の付近と側板９の下部９ａの付近とをフレキシブルな前倒規制ワイヤー２４で連結して、背もたれ部７を前倒させた時に前倒規制ワイヤー２４が引っ張り状態になることで、背もたれ部７の前倒を規制することもできる。
【図面の簡単な説明】
【００２５】
【図１】本発明の実施形態に係る椅子式マッサージ機であり、（ａ）は背もたれ部が起立位置の側面図、（ｂ）は背もたれ部が前倒位置の側面図である。
【図２】側板と同期シャフトの斜視図である。
【図３】本発明の実施形態に係る椅子式マッサージ機の斜視図である。
【図４】本発明に実施形態に係る速度調節機構を備えた椅子式マッサージ機であり、（ａ）は背もたれ部が起立位置の側面図、（ｂ）は背もたれ部が前倒位置の側面図である。
【図５】本発明の実施形態に係る別の前倒規制手段を備えた椅子式マッサージ機の背もたれ部が前倒位置の側面図である。
【符号の説明】
【００２６】
１    椅子式マッサージ機
２    椅子本体
３    座席部
３ａ  座面
４    肘掛け部
７    背もたれ部
７ａ  背もたれ面
８    マッサージ機構（施療手段）
８ａ  施療子（施療手段）
１２  前倒軸
２０  前倒規制ピン（前倒規制手段）
２３  ロータリーダンパー（速度調整手段）
２４  前倒規制ワイヤー（前倒規制手段）
【図１】
2006223720.tif 000003
【図２】
2006223720.tif 000004
【図３】
2006223720.tif 000005
【図４】
2006223720.tif 000006
【図５】
2006223720.tif 000007